【手続補正書】
【提出日】平成15年8月29日(2003.8.29)
【手続補正１】
【補正対象書類名】明細書
【補正対象項目名】発明の名称
【補正方法】変更
【補正の内容】
【発明の名称】画像表示装置


【手続補正２】
【補正対象書類名】明細書
【補正対象項目名】特許請求の範囲
【補正方法】変更
【補正の内容】
【特許請求の範囲】
【請求項１】
行配線と、複数の列配線と、変調回路と、複数の表示素子とを有しており、前記複数の表示素子は前記行配線に共通に接続され、前記複数の列配線のそれぞれは前記複数の表示素子のそれぞれと接続され、前記変調回路は前記列配線に変調信号を供給する画像表示装置において、
複数の表示モードを有しており、前記変調回路は、表示する信号の階調に応じた時間幅を有するパルス信号を生成するパルス幅変調回路と、選択された前記表示モードに応じて前記パルス信号の電位を設定する電位設定回路とを有することを特徴とする画像表示装置。
【請求項２】
前記表示素子は、該表示素子に注入される電流の一部のみを表示のために消費するものである請求項１に記載の画像表示装置。
【請求項３】
表示すべき画像信号が入力される入力部を複数有しており、更に、該複数の入力部からの信号のうちのいずれかを選択する選択回路を有しており、前記電位設定回路は、該選択回路の選択状態に応じて前記パルス信号の電位の設定を行うものである請求項１又は２に記載の画像表示装置。
【請求項４】
表示すべき画像信号の特性を判別する判別回路を有しており、該判別回路による判別結果に応じて前記パルス信号の電位の設定を行うものである請求項１又は２に記載の画像表示装置。
【請求項５】
表示する画像に応じて前記パルス信号の電位を設定するための外部設定手段を更に備え、前記電位設定回路は該外部設定手段の設定に応じて前記パルス信号の電位の設定を行うものである請求項１又は２に記載の画像表示装置。
【請求項６】
入力される画像信号の表示の際に、輝度を重視するか、再現性を重視するかを対立項として前記電位設定回路で電位を設定する請求項１乃至５いずれかに記載の画像表示装置。
【請求項７】
入力される画像信号の表示の際に、再現性よりも輝度を重視する場合に、輝度よりも再現性を重視する場合に比べて前記振幅設定回路で設定する電位を該電位と前記行配線に印加される電位との電位差を大きくするように設定する請求項１乃至６いずれかに記載の画像表示装置。
【請求項８】
前記振幅設定回路は、表示する信号が、コンピュータの画像信号かテレビジョンの画像信号かに応じて前記パルス信号の電位の設定を行うものである請求項１乃至７いずれかに記載の画像表示装置。
【請求項９】
行配線と、複数の列配線と、変調回路と、複数の表示素子とを有しており、前記複数の表示素子は前記行配線に共通に接続され、前記複数の列配線のそれぞれは前記複数の表示素子のそれぞれと接続され、前記変調回路は前記列配線に変調信号を供給する画像表示装置において、
複数の表示モードを有しており、選択された前記表示モードに応じて前記行配線に印加する信号の電位を設定する電位設定回路とを有することを特徴とする画像表示装置。
【請求項１０】
前記表示素子は、該表示素子に注入される電流の一部のみを表示のために消費するものである請求項９に記載の画像表示装置。
【請求項１１】
表示すべき画像信号が入力される入力部を複数有しており、更に、該複数の入力部からの信号のうちのいずれかを選択する選択回路を有しており、前記電位設定回路は、該選択回路の選択状態に応じて前記電位の設定を行うものである請求項９又は１０に記載の画像表示装置。
【請求項１２】
表示すべき画像信号の特性を判別する判別回路を有しており、該判別回路による判別結果に応じて前記電位の設定を行うものである請求項９又は１０に記載の画像表示装置。
【請求項１３】
表示する画像に応じて前記電位を設定するための外部設定手段を更に備え、前記電位設定回路は該外部設定手段の設定に応じて前記電位の設定を行うものである請求項９又は１０に記載の画像表示装置。
【請求項１４】
入力される画像信号の表示の際に、輝度を重視するか、再現性を重視するかを対立項として前記電位設定回路で電位を設定する請求項９乃至１３いずれかに記載の画像表示装置。
【請求項１５】
入力される画像信号の表示の際に、再現性よりも輝度を重視する場合に、輝度よりも再現性を重視する場合に比べて前記電位設定回路で設定する電位を該電位と前記列配線に印加される電位との電位差を大きくするように設定する請求項９乃至１４に記載の画像表示装置。
【請求項１６】
前記振幅設定回路は、表示する信号が、コンピュータの画像信号かテレビジョンの画像信号かに応じて前記電位の設定を行うものである請求項９乃至１５いずれかに記載の画像表示装置。
【請求項１７】
行配線と、複数の列配線と、変調回路と、複数の表示素子とを有しており、前記複数の表示素子は前記行配線に共通に接続され、前記複数の列配線のそれぞれは前記複数の表示素子のそれぞれと接続され、前記変調回路は前記列配線に変調信号を供給する画像表示装置において、
複数の表示モードを有しており、前記変調回路は、表示する信号の階調に応じた波高値を有する信号を生成する波高値変調回路と、選択された前記表示モードに応じて前記波高値の上限を設定する波高値設定回路とを有することを特徴とする画像表示装置。
【請求項１８】
前記表示素子は、該表示素子に注入される電流の一部のみを表示のために消費するものである請求項１７に記載の画像表示装置。
【請求項１９】
表示すべき画像信号が入力される入力部を複数有しており、更に、該複数の入力部からの信号のうちのいずれかを選択する選択回路を有しており、前記波高値設定回路は、該選択回路の選択状態に応じて前記波高値の上限の設定を行うものである請求項１７又は１８に記載の画像表示装置。
【請求項２０】
表示すべき画像信号の特性を判別する判別回路を有しており、該判別回路による判別結果に応じて前記波高値の上限の設定を行うものである請求項１７又は１８に記載の画像表示装置。
【請求項２１】
表示する画像に応じて前記波高値の上限を設定するための外部設定手段を更に備え、前記波高値設定回路は該外部設定手段の設定に応じて前記波高値の上限の設定を行うものである請求項１７又は１８に記載の画像表示装置。
【請求項２２】
入力される画像信号の表示の際に、輝度を重視するか、再現性を重視するかを対立項として前記波高値の上限を設定する請求項１７乃至２１いずれかに記載の画像表示装置。
【請求項２３】
入力される画像信号の表示の際に、再現性よりも輝度を重視する場合に、輝度よりも再現性を重視する場合に比べて前記波高値の上限を高く設定する請求項１７乃至２２に記載の画像表示装置。
【請求項２４】
前記波高値設定回路は、表示する信号が、コンピュータの画像信号かテレビジョンの画像信号かに応じて前記波高値の上限の設定を行うものである請求項１７乃至２３いずれかに記載の画像表示装置。
【請求項２５】
前記表示素子が、該表示素子に注入される電流の８０％以下を表示のために消費する素子である請求項１乃至２４いずれかに記載の画像表示装置。
【請求項２６】
前記表示素子が電子放出素子である請求項１乃至２５いずれかに記載の画像表示装置。
【請求項２７】
前記表示素子がエレクトロルミネッセンス素子である請求項１乃至２５いずれかに記載の画像表示装置。
【手続補正３】
【補正対象書類名】明細書
【補正対象項目名】００２０
【補正方法】変更
【補正の内容】
【００２０】
行配線と、複数の列配線と、変調回路と、複数の表示素子とを有しており、前記複数の表示素子は前記行配線に共通に接続され、前記複数の列配線のそれぞれは前記複数の表示素子のそれぞれと接続され、前記変調回路は前記列配線に変調信号を供給する画像表示装置において、
複数の表示モードを有しており、前記変調回路は、表示する信号の階調に応じた時間幅を有するパルス信号を生成するパルス幅変調回路と、選択された前記表示モードに応じて前記パルス信号の電位を設定する電位設定回路とを有することを特徴とする画像表示装置。


【手続補正４】
【補正対象書類名】明細書
【補正対象項目名】００３４
【補正方法】変更
【補正の内容】
【００３４】
行配線と、複数の列配線と、変調回路と、複数の表示素子とを有しており、前記複数の表示素子は前記行配線に共通に接続され、前記複数の列配線のそれぞれは前記複数の表示素子のそれぞれと接続され、前記変調回路は前記列配線に変調信号を供給する画像表示装置において、
複数の表示モードを有しており、選択された前記表示モードに応じて前記行配線に印加する信号の電位を設定する電位設定回路とを有することを特徴とする画像表示装置。


【手続補正５】
【補正対象書類名】明細書
【補正対象項目名】００３９
【補正方法】変更
【補正の内容】
【００３９】
行配線と、複数の列配線と、変調回路と、複数の表示素子とを有しており、前記複数の表示素子は前記行配線に共通に接続され、前記複数の列配線のそれぞれは前記複数の表示素子のそれぞれと接続され、前記変調回路は前記列配線に変調信号を供給する画像表示装置において、
複数の表示モードを有しており、前記変調回路は、表示する信号の階調に応じた波高値を有する信号を生成する波高値変調回路と、選択された前記表示モードに応じて前記波高値の上限を設定する波高値設定回路とを有することを特徴とする画像表示装置。


【手続補正６】
【補正対象書類名】明細書
【補正対象項目名】００４４
【補正方法】削除
【補正の内容】
【手続補正７】
【補正対象書類名】明細書
【補正対象項目名】００４５
【補正方法】削除
【補正の内容】
【手続補正８】
【補正対象書類名】明細書
【補正対象項目名】００４６
【補正方法】削除
【補正の内容】
【手続補正９】
【補正対象書類名】明細書
【補正対象項目名】００４７
【補正方法】削除
【補正の内容】
【手続補正１０】
【補正対象書類名】明細書
【補正対象項目名】００４８
【補正方法】削除
【補正の内容】
【手続補正１１】
【補正対象書類名】明細書
【補正対象項目名】００４９
【補正方法】削除
【補正の内容】